(57)【要約】【課題】この発明は、音声出力が無信号になったことを検出して自動的に装置の電源を遮断し、電源スイッチの切り忘れに効果的に対処し得るようにした音声再生装置及び音声再生方法を提供することを目的としている。【解決手段】入力信号から音声信号を復元する信号処理手段１４と、この信号処理手段１４の出力が無信号状態になったことを検出する検出手段２２と、この検出手段２２から所定時間継続して無信号状態の検出結果が得られたとき、装置本体への電力供給を遮断する制御手段１７，２５とを備える。【選択図】    図１
2006127678.tif 000002
【特許請求の範囲】
【請求項１】
入力信号から音声信号を復元する信号処理手段と、
前記信号処理手段の出力が無信号状態になったことを検出する検出手段と、
前記検出手段から所定時間継続して無信号状態の検出結果が得られたとき、装置本体への電力供給を遮断する制御手段とを具備することを特徴とする音声再生装置。
【請求項２】
前記検出手段は、
前記信号処理手段の出力を整流する整流手段と、
前記整流手段の出力レベルと予め設定された所定の基準レベルとを比較し、前記整流手段の出力レベルが前記基準レベルよりも実質的に低下したとき無信号検出信号を発生するレベル比較手段とを具備することを特徴とする請求項１記載の音声再生装置。
【請求項３】
前記制御手段は、装置の電源スイッチがオフ状態に制御されたときと同様な状態となるように、装置本体への電力供給を遮断することを特徴とする請求項１または２記載の音声再生装置。
【請求項４】
外部から電力を取得するための電源プラグと、
前記電源プラグで取得された電力から装置本体に供給するための電力を生成する電源手段と、
装置の電源スイッチに連動して電源プラグで取得された電力を前記電源手段に供給状態及び非供給状態に選択的に制御するスイッチとを具備し、
前記制御手段は、前記検出手段から所定時間継続して無信号状態の検出結果が得られたとき、前記スイッチをオフ状態に制御することを特徴とする請求項１乃至３いずれかに記載の音声再生装置。
【請求項５】
前記検出手段から所定時間継続して無信号状態の検出結果が得られたとき、警報音を発生する発生手段を具備することを特徴とする請求項１乃至４いずれかに記載の音声再生装置。
【請求項６】
前記信号処理手段は、記録媒体から音声信号を復元するものであることを特徴とする請求項１乃至５いずれかに記載の音声再生装置。
【請求項７】
入力信号から音声信号を復元する第１の工程と、
前記第１の工程による出力が無信号状態になったことを検出する第２の工程と、
前記第２の工程により所定時間継続して無信号状態の検出結果が得られたとき、装置本体への電力供給を遮断する第３の工程とを具備することを特徴とする音声再生方法。
【請求項８】
前記第２の工程は、
前記第１の工程による出力を整流する工程と、
前記整流された出力レベルと予め設定された所定の基準レベルとを比較し、整流された出力レベルが前記基準レベルよりも実質的に低下したとき無信号検出信号を発生する工程とを具備することを特徴とする請求項７記載の音声再生方法。
【請求項９】
所定時間継続して無信号状態の検出結果が得られたとき、警報音を発生する第４の工程を具備することを特徴とする請求項７または８記載の音声再生方法。
【発明の詳細な説明】
【技術分野】
【０００１】
この発明は、例えばＣＤ（Compact Disk）等の記録媒体から音声信号を再生する音声再生装置及び音声再生方法の改良に関する。
【背景技術】
【０００２】
周知のように、例えばＣＤ等の記録媒体から音声信号を再生する音声再生装置にあっては、記録媒体からの音声再生が終了した場合に、電源スイッチを切ることが忘れられてそのまま放置されてしまうことが多々ある。
【０００３】
特許文献１には、ランプの断線時、ビデオ信号の入力の無いとき、オーディオ信号の入力の無いときに、それぞれ、ランプ、ビデオ回路、オーディオ回路への電源電圧の供給を遮断するようにした構成が開示されている。
【特許文献１】特開平５−９３９５５号公報
【発明の開示】
【発明が解決しようとする課題】
【０００４】
しかしながら、この特許文献１では、ランプの断線時にランプへの電源供給を遮断し、ビデオ信号の無いときビデオ回路への電源供給を遮断し、オーディオ信号の無いときオーディオ回路への電源供給を遮断する構成であって、電源スイッチの切り忘れに対処するものではない。
【０００５】
そこで、この発明は上記事情を考慮してなされたもので、音声出力が無信号になったことを検出して自動的に装置の電源を遮断し、電源スイッチの切り忘れに効果的に対処し得るようにした音声再生装置及び音声再生方法を提供することを目的とする。
【課題を解決するための手段】
【０００６】
この発明に係る音声再生装置は、入力信号から音声信号を復元する信号処理手段と、信号処理手段の出力が無信号状態になったことを検出する検出手段と、検出手段から所定時間継続して無信号状態の検出結果が得られたとき、装置本体への電力供給を遮断する制御手段とを備えるようにしたものである。
【０００７】
また、この発明に係る音声再生方法は、入力信号から音声信号を復元する第１の工程と、第１の工程による出力が無信号状態になったことを検出する第２の工程と、第２の工程により所定時間継続して無信号状態の検出結果が得られたとき、装置本体への電力供給を遮断する第３の工程とを備えるようにしたものである。
【発明の効果】
【０００８】
上記した発明によれば、信号処理手段の出力が所定時間継続して無信号状態になったとき、装置本体への電源供給を遮断するようにしたので、電源スイッチの切り忘れに効果的に対処することが可能となる。
【発明を実施するための最良の形態】
【０００９】
以下、この発明の実施の形態について図面を参照して詳細に説明する。図１は、この実施の形態で説明する光ディスク再生装置１１を示している。すなわち、例えばＣＤ等の光ディスク１２は、ドライブ部１３に装着されて記録データが読み取られる。
【００１０】
このドライブ部１３で読み取られたデータは、信号処理部１４に供給されて、デジタル化処理、エラー訂正処理、復号化処理及びアナログ化処理等が順次施されて、アナログの音声信号に復元される。
【００１１】
そして、この信号処理部１４で復元されたアナログの音声信号は、音声出力部１５に供給されて所定の増幅処理が施された後、音声出力端子１６を介して外部に導出され、図示しないスピーカ等による音声再生に供される。
【００１２】
この光ディスク再生装置１１は、上記した再生動作を含むその全ての動作を制御部１７により統括的に制御されている。この制御部１７は、ＣＰＵ（Central Processing Unit）等を内蔵しており、操作部１８からの操作情報を受け、または、リモートコントローラ１９から送出された操作情報を受光部２０を介して受信し、その操作内容が反映されるように各部をそれぞれ制御している。
【００１３】
この場合、制御部１７は、メモリ部２１を利用している。このメモリ部２１は、主として、ＣＰＵが実行する制御プログラムを格納したＲＯＭ（Read Only Memory）と、該ＣＰＵに作業エリアを提供するＲＡＭ（Random Access Memory）と、各種の設定情報及び制御情報等が格納される不揮発性メモリとを有している。
【００１４】
また、上記信号処理部１４で復元されたアナログの音声信号は、無信号検出部２２に供給される。この無信号検出部２２は、詳細は後述するが、入力された音声信号が無信号状態になったことを検出して、検出信号を制御部１７に出力するものである。
【００１５】
ここで、この光ディスク再生装置１１は、電源回路２３から、ドライブ部１３、信号処理部１４、音声出力部１５、メモリ部２１及び無信号検出部２２等の各部に電源電力を供給するようにしている。
【００１６】
この電源回路２３は、電源プラグ２４を介して取得した商用交流電力が、スイッチ２５を介して供給されることにより、光ディスク再生装置１１の各部（装置本体）に必要な電源電力を生成して、供給するようにしている。
【００１７】
このスイッチ２５は、操作部１８またはリモートコントローラ１９に設置された電源スイッチの操作に連動してオン、オフ制御されるもので、オン状態になされたとき、商用交流電力が電源回路２３に供給される。
【００１８】
なお、電源プラグ２４を介して取得した商用交流電力は、待機電源部２６に供給されている。この待機電源部２６は、供給された商用交流電力から制御部１７を駆動させるために必要な待機電力を生成し、制御部１７に供給している。
【００１９】
このため、制御部１７は、スイッチ２５に無関係に常時電力が供給されている。これにより、操作部１８またはリモートコントローラ１９に設置された電源スイッチがオンされると、制御部１７がスイッチ２５をオン状態に制御し、電源回路２３に商用交流電力が供給されて、各部（装置本体）に電源電力が供給されるようになる。
【００２０】
図２は、上記無信号検出部２２の詳細を示している。すなわち、上記信号処理部１４で復元されたアナログの音声信号は、入力端子２２ａを介して整流回路２２ｂに供給されて整流される。そして、この整流回路２２ｂの出力レベルが、レベル比較回路２２ｃに供給されて、入力端子２２ｄに印加された基準レベルVrefとレベル比較される。
【００２１】
このレベル比較回路２２ｃは、整流回路２２ｂの出力レベルが基準レベルVrefよりも実質的に低下したとき無信号状態になったと判別し、その旨を示す無信号検出信号を発生する。この無信号検出信号は、出力端子２２ｅを介して上記制御部１７に出力される。
【００２２】
ここで、光ディスク１２の再生が行なわれている状態では、信号処理部１４から出力されるアナログの音声信号を整流回路２２ｂで整流した出力レベルが、基準レベルVrefよりも実質的に高くなっているため、レベル比較回路２２ｃから無信号検出信号が発生されずに、安定な音声再生が行なわれる。
【００２３】
その後、光ディスク１２の再生が終了し、信号処理部１４からアナログの音声信号が出力されなくなると、整流回路２２ｂの出力レベルが基準レベルVrefよりも実質的に低くなり、レベル比較回路２２ｃから無信号検出信号が発生され、制御部１７に供給される。
【００２４】
そして、制御部１７は、無信号検出信号の供給が、予め設定された所定時間継続した場合に、光ディスク１２の再生が終了したものと判断し、スイッチ２５をオフ状態に制御する。
【００２５】
これにより、ドライブ部１３、信号処理部１４、音声出力部１５、メモリ部２１及び無信号検出部２２等の各部（装置本体）への電力供給が遮断され、つまり、操作部１８またはリモートコントローラ１９に設置された電源スイッチがオフ状態に操作されたことに対応した状態となり、電源スイッチの切り忘れに効果的に対処することが可能となる。
【００２６】
図３は、上記した光ディスク再生装置１１の動作をまとめたフローチャートを示している。すなわち、操作部１８またはリモートコントローラ１９に設置された電源スイッチがオン状態に操作されることにより処理が開始（ステップＳ１）され、制御部１７は、ステップＳ２で、光ディスク１２の再生を実行するように各部を制御している。
【００２７】
このような状態で、制御部１７は、ステップＳ３で、無信号検出部２２から無信号検出信号が発生されたか否かを判別する。そして、無信号検出信号が発生されたと判断された場合（ＹＥＳ）、制御部１７は、ステップＳ４で、無信号検出信号が予め設定された所定時間継続して発生されたか否かを判別する。
【００２８】
ここで、無信号検出信号が予め設定された所定時間継続して発生されたと判断された場合（ＹＥＳ）、制御部１７は、ステップＳ５で、スイッチ２５をオフ状態に切替制御して、処理を終了（ステップＳ６）する。
【００２９】
上記した実施の形態によれば、信号処理部１４の出力の無信号状態が、予め設定された所定時間継続した場合に、スイッチ２５をオフ状態に切り替えて各部（装置本体）への電源供給を遮断するようにしたので、電源スイッチの切り忘れに効果的に対処することが可能となる。
【００３０】
特に、制御部１７を除く各部への電力供給を遮断するという、操作部１８またはリモートコントローラ１９に設置された電源スイッチをオフ状態に操作したときと同じ電力供給遮断状態に制御するようにしているので、省電力化の点や、安全性の点で効果的である。
【００３１】
また、信号処理部１４の出力の無信号状態が予め設定された所定時間継続した場合、スイッチ２５をオフ状態に切り替える前に、ユーザに対して警報音を発生させることもできる。
【００３２】
この警報音の発生は、制御部１７が信号処理部１４から警報音に対応した音声信号を発生させ、その音声信号を音声出力部１５及び音声出力端子１６を介して外部接続されたスピーカで音声再生することにより実現される。
【００３３】
また、上記した実施の形態では、操作部１８またはリモートコントローラ１９に設置された電源スイッチがオン状態に操作され、スイッチ２５がオン状態となり各部に電力供給が行なわれている状態で、光ディスク１２を所定時間再生させなかった場合にも、自動的にスイッチ２５がオフ状態に制御され、各部（装置本体）への電源供給が遮断されるようになる。
【００３４】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００３５】
【図１】この発明の実施の形態を示すもので、光ディスク再生装置を説明するために示すブロック構成図。
【図２】同実施の形態における光ディスク再生装置の無信号検出部の詳細を説明するために示すブロック構成図。
【図３】同実施の形態における光ディスク再生装置の主要な処理動作を説明するために示すフローチャート。
【符号の説明】
【００３６】
１１…光ディスク再生装置、１２…光ディスク、１３…ドライブ部、１４…信号処理部、１５…音声出力部、１６…音声出力端子、１７…制御部、１８…操作部、１９…リモートコントローラ、２０…受光部、２１…メモリ部、２２…無信号検出部、２３…電源回路、２４…電源プラグ、２５…スイッチ、２６…待機電源部。
【図１】
2006127678.tif 000003
【図２】
2006127678.tif 000004
【図３】
2006127678.tif 000005